(57)【要約】【課題】  本発明は、斯かる実情に鑑み、視聴者に対して、屋内ネットワークに接続するためのケーブルジャックや通信機能を備えた移動携帯端末を購入させたり、課金処理システムを備えた屋内ネットワークを導入させたりすることなく、テレビ番組に含まれる放送シーンから作成されるコンテンツデータを携帯電話に手軽にダウンロードさせることができるコンテンツデータ配信方法を提供する。【解決手段】    デジタル放送されるテレビ番組の放送シーンごとに対応する視聴者ダウンロード用のコンテンツデータを配信用のサーバーに記憶させておき、番組放送時間帯に、コンテンツデータリストをテレビ番組とともに視聴者のテレビ画面上に表示させ、それに含まれるアクセス情報に基づいてサーバーにアクセスした移動携帯端末に、コンテンツデータを送信するようにしたことを特徴とする。【選択図】図１
2006050378.tif 000002
【特許請求の範囲】
【請求項１】
デジタル放送されるテレビ番組の放送シーンごとに対応する視聴者ダウンロード用のコンテンツデータを作成して、前記コンテンツデータを配信用のサーバーに記憶させておき、
前記テレビ番組の放送時間帯に、前記コンテンツデータの内容を表示するインデックス画像及び前記コンテンツデータにアクセスするためのアクセス情報をデータ放送して、前記画像及び前記アクセス情報を含むコンテンツデータリストを前記テレビ番組とともに視聴者のテレビ画面上に表示させ、
前記アクセス情報に基づいて前記サーバーにアクセスした移動携帯端末に、前記コンテンツデータを送信するようにしたことを特徴とするコンテンツデータ配信方法。
【請求項２】
前記コンテンツデータは、前記テレビ番組に含まれる放送シーンを切り出して作成した画像データ及び／又は音声データであることを特徴とする請求項１に記載のコンテンツデータ配信方法。
【請求項３】
前記インデックス画像は、前記放送シーンの静止画像であることを特徴とする請求項１又は２に記載のコンテンツデータ配信方法。
【請求項４】
前記アクセス情報は、前記コンテンツデータにアクセスするための電話番号又はホームページアドレスであることを特徴とする請求項1乃至３のいずれかに記載のコンテンツデータ配信方法。
【請求項５】
視聴者のテレビ画面に表示されるコンテンツデータリストは、対応する放送シーンの放送がなされた、あるいは、なされているコンテンツデータのものに限られることを特徴とする請求項１乃至４のいずれかに記載のコンテンツデータ配信方法。
【請求項６】
視聴者のテレビ画面に表示されるコンテンツデータリストは、対応する放送シーンの放送がなされた、あるいは、なされているコンテンツデータのすべてを含むことを特徴とする請求項５に記載のコンテンツデータ配信方法。
【請求項７】
視聴者のテレビ画面に表示されるコンテンツデータリストは、対応する放送シーンの放送がなされているコンテンツデータのものが他のコンテンツデータのものより目立つように表示されることを特徴とする請求項５又は６に記載のコンテンツデータ配信方法。
【請求項８】
前記サーバーが、前記移動携帯端末に前記コンテンツデータを送信する際に、前記コンテンツデータの取得代金を課金することを特徴とする請求項1乃至７のいずれかに記載のコンテンツデータ配信方法。
【発明の詳細な説明】
【技術分野】
【０００１】
本発明は、テレビ番組の放送時間帯に、そのテレビ番組に含まれる放送シーンに対応するコンテンツデータを移動携帯端末に配信するコンテンツデータ配信方法に関する。
【背景技術】
【０００２】
従来、例えば、テレビの音楽番組等の視聴者は、登場するアーティストの画像やアーティストが演じる楽曲を、携帯電話の待ち受け画面や着信メロディとして使ったり、また、お気に入りの放送シーンを、携帯電話で気軽に楽しめるビデオクリップとして保存しておいたりしたいと感じる場合がある。また、テレビの情報番組等の視聴者は、番組内で紹介される店舗・レストランの住所・電話番号・メニュー等の情報を、テレビ番組同様の動画情報として気軽に持ち運び、その店舗を訪れたり、友達を誘ったりするために、携帯電話に保存しておきたいと感じる場合がある。さらに、学習番組等の視聴者は、番組内の特定の講義を、通勤、通学、その他外出時の空き時間を利用して、繰り返し学習したいと思うことがある。
【０００３】
しかしながら、テレビ番組用の放送信号をそのまま携帯電話に取り込むことはできず、放送シーンの画像や音声を携帯電話で使用できるようにするためには、そのテレビ番組をビデオテープレコーダーやＤＶＤレコーダーに録画しておき、その中から使用する画像データや音声データを探し出したり、パソコン等を操作したりする必要があることから、実際には殆ど実行されていないのが実情である。
【０００４】
そこで、屋内ネットワーク網を介して相互接続可能なネットワークインターフェースを有するテレビ受信機と携帯電話を備えてなり、屋内ネットワーク網を介してテレビ受信機に表示される番組映像の中から、携帯電話に画面情報をダウンロードできるようにしたダウンロードシステムが提案されている（例えば、特許文献１参照）。かかるダウンロードシステムによれば、テレビ受信機から携帯電話に番組映像を直接ダウンロードすることができるので、テレビ番組をビデオテープに録画したり、パソコン等を操作したりする必要がないものである。
【特許文献１】特開２００２−４４１９３号公報
【発明の開示】
【発明が解決しようとする課題】
【０００５】
しかしながら、屋内ネットワークに接続するために、上記ダウンロードシステムを構成する携帯電話は、ネットワークケーブルを接続するためのジャック、あるいは赤外線通信や無線通信に対応する機能を備えた機種に限定され、しかもダウンロードに対して課金処理をする場合には、屋内ネットワーク内に課金処理システムを導入させる必要があることから、上記ダウンロードシステムを広く一般に普及させることは難しいという問題がある。
【０００６】
本発明は、斯かる実情に鑑み、視聴者に対して、屋内ネットワークに接続するためのケーブルジャックや通信機能を備えた移動携帯端末を購入させたり、課金処理システムを備えた屋内ネットワークを導入させたりすることなく、テレビ番組に含まれる放送シーンから作成されるコンテンツデータを携帯電話に手軽にダウンロードさせることができるコンテンツデータ配信方法を提供しようとするものである。
【課題を解決するための手段】
【０００７】
本発明の請求項１の発明は、デジタル放送されるテレビ番組の放送シーンごとに対応する視聴者ダウンロード用のコンテンツデータを作成して、前記コンテンツデータを配信用のサーバーに記憶させておき、前記テレビ番組の放送時間帯に、前記コンテンツデータの内容を表示するインデックス画像及び前記コンテンツデータにアクセスするためのアクセス情報をデータ放送して、前記画像及び前記アクセス情報を含むコンテンツデータリストを前記テレビ番組とともに視聴者のテレビ画面上に表示させ、前記アクセス情報に基づいて前記サーバーにアクセスした移動携帯端末に、前記コンテンツデータを送信するようにしたことを特徴とするコンテンツデータ配信方法を提供する。
【０００８】
本発明の請求項２の発明は、前記コンテンツデータは、前記テレビ番組に含まれる放送シーンを切り出して作成した画像データ及び／又は音声データであることを特徴とする請求項１に記載のコンテンツデータ配信方法を提供する。
【０００９】
本発明の請求項３の発明は、前記インデックス画像は、前記放送シーンの静止画像であることを特徴とする請求項１又は２に記載のコンテンツデータ配信方法を提供する。
【００１０】
本発明の請求項４の発明は、前記アクセス情報は、前記コンテンツデータにアクセスするための電話番号又はホームページアドレスであることを特徴とする請求項1乃至３のいずれかに記載のコンテンツデータ配信方法を提供する。
【００１１】
本発明の請求項５の発明は、視聴者のテレビ画面に表示されるコンテンツデータリストは、対応する放送シーンの放送がなされた、あるいは、なされているコンテンツデータのものに限られることを特徴とする請求項１乃至４のいずれかに記載のコンテンツデータ配信方法を提供する。
【００１２】
本発明の請求項６の発明は、視聴者のテレビ画面に表示されるコンテンツデータリストは、対応する放送シーンの放送がなされた、あるいは、なされているコンテンツデータのすべてを含むことを特徴とする請求項５に記載のコンテンツデータ配信方法を提供する。
【００１３】
本発明の請求項７の発明は、視聴者のテレビ画面に表示されるコンテンツデータリストは、対応する放送シーンの放送がなされているコンテンツデータのものが他のコンテンツデータのものより目立つように表示されることを特徴とする請求項５又は６に記載のコンテンツデータ配信方法を提供する。
【００１４】
本発明の請求項８の発明は、前記サーバーが、前記移動携帯端末に前記コンテンツデータを送信する際に、前記コンテンツデータの取得代金を課金することを特徴とする請求項1乃至７のいずれかに記載のコンテンツデータ配信方法を提供する。
【発明の効果】
【００１５】
本発明の請求項１〜８に記載のコンテンツデータ配信方法によれば、テレビ番組の放送シーンに対応して作成されたコンテンツデータを配信用サーバーに記憶させておき、コンテンツデータリストをテレビ番組とともに視聴者のテレビ画面上に表示させ、このリストに表示されるアクセス情報に基づいてサーバーにアクセスする移動携帯端末にコンテンツデータを送信するようにしたので、屋内ネットワークに接続する機能等を有しない移動携帯端末であっても、テレビ番組で放送される画像、楽曲、その他の情報を手軽にダウンロードさせることができるという優れた効果を奏し得る。すなわち、テレビ番組と並行してデータ放送が行えるデジタル放送技術に、個人認証及び課金処理が容易に行える携帯電話技術を組み合わせることで、視聴者にテレビ番組の一部を切り出して持ち運んでもらうことができるビジネス形態を実現させるものである。
【００１６】
本発明の請求項２に記載のコンテンツデータ配信方法によれば、コンテンツデータを、テレビ番組に含まれる放送シーンを切り出して作成した画像データ及び／又は音声データとしたので、お気に入りの放送シーンを、そのまま待ち受け画面や着信メロディとしたり、ビデオクリップとして楽しんだりすることができるという優れた効果を奏し得る。なお、テレビ番組には、著作権等の問題で有料配信を認められない放送シーンが含まれることもあるが、本コンテンツデータ配信方法によれば、そのような放送シーンを予め削除しておくことにより、著作権等の問題をクリアすることができるものである。
【００１７】
本発明の請求項３に記載のコンテンツデータ配信方法によれば、コンテンツデータリストに含まれるインデックス画像を放送シーンの静止画像としたので、視聴者は、コンテンツデータリストから各コンテンツデータの概ねの内容を把握することができて、見当違いのコンテンツを選択してしまう等、無駄なダウンロードをしなくて済むという優れた効果を奏し得る。
【００１８】
本発明の請求項４に記載のコンテンツデータ配信方法によれば、アクセス情報を、コンテンツデータにアクセスするための電話番号又はホームページアドレスとしたので、視聴者は、いち早くダウンロードしたいコンテンツデータにアクセスすることができるという優れた効果を奏し得る。
【００１９】
本発明の請求項５に記載のコンテンツデータ配信方法によれば、視聴者のテレビ画面に表示されるコンテンツデータリストは、対応する放送シーンの放送が終了した、あるいは放送中のコンテンツデータのものに限られているので、視聴者が、インデックス画像の表示からコンテンツデータの内容を把握したうえでダウンロードすることができるという優れた効果を奏し得る。
【００２０】
本発明の請求項６に記載のコンテンツデータ配信方法によれば、視聴者のテレビ画面に表示されるコンテンツデータリストは、対応する放送シーンの放送が終了した、あるいは放送中のコンテンツデータのすべてが表示されるので、視聴者が、必要なコンテンツデータをゆっくり選んでからダウンロードすることができるという優れた効果を奏し得る
【００２１】
本発明の請求項７に記載のコンテンツデータ配信方法によれば、視聴者のテレビ画面に表示されるコンテンツデータリストは、対応する放送シーンが放送中のコンテンツデータのものが他のコンテンツデータのものより目立つように表示されるので、放送中のシーンに対応するコンテンツデータを間違いなくダウンロードすることができるという優れた効果を奏し得る。
【００２２】
本発明の請求項８に記載のコンテンツデータ配信方法によれば、サーバーが、移動携帯端末にコンテンツデータを送信する際に、コンテンツデータの取得代金を課金処理するので、コンテンツデータを提供するためにかかった費用を確実に徴収することができるという優れた効果を奏し得る。
【発明を実施するための最良の形態】
【００２３】
以下、本発明の実施の形態を、添付図面を参照しながら説明する。図１及び図２は、本発明を実施する形態の一例であって、図１は本実施形態に係るコンテンツデータ配信方法が適用される配信システムの概要を表したブロック図であり、図２は、視聴者のテレビ画面の表示例を示す図である。
【００２４】
本実施形態に係るコンテンツデータ配信システムは、図1に示されるように、視聴者ダウンロード用のコンテンツデータが記憶される配信用サーバー１と、デジタル送信塔２aを備える放送局２と、携帯電話の交換局３と、携帯電話のアンテナ基地局４と、視聴者の家庭５に設置される受信アンテナ５ａ及びそれに接続されるテレビ受信機５ｂと、視聴者の携帯電話５ｃとで構成される。
【００２５】
配信用サーバー１には、放送局２がデジタル放送するテレビ番組の放送シーンごとに対応する視聴者ダウンロード用のコンテンツデータが記憶されている。このコンテンツデータは、テレビ番組の各放送シーンを切り出して作成した画像データ及び音声データからなるものであって、携帯電話のメモリーにダウンロードすることにより、携帯電話に備えられる液晶画面及びスピーカーで視聴することができるように加工されている。その具体的内容としては、例えば、音楽番組においてアーティストが楽曲を演じるシーンを楽曲別に切り出したり、情報番組において店舗・レストランの紹介シーンを店舗等別に切り出したり、学習番組において解説される学習事項を項目別に切り出したりして作成されるビデオクリップが挙げられる。
【００２６】
放送局２は、デジタル送信塔２ａから、テレビ番組を構成する画像及び音声の放送信号を放送するとともに、その番組放送時間帯に、上述したコンテンツデータの内容を表示するインデックス画像及びコンテンツデータにアクセスするためのアクセス情報をデータ放送する。ここで、インデックス画像とは、コンテンツデータが作成された放送シーンの静止画像、例えば、音楽番組において楽曲を演じるアーティストが映し出されたシーンの画像であって、これを見ることで対応するコンテンツデータの内容を把握することができるようになっている。アクセス情報としては、コンテンツデータにアクセスするための電話番号又はホームページアドレスが表示される。
【００２７】
視聴者の家庭５では、受信アンテナ５ａが、放送局２からの放送信号及びデータ信号を受信して、テレビ受信機５ｂが、図３に示されるようなテレビ画面を表示させる。テレビ受信機５ｂは、テレビ画面の上側に、テレビ番組５１を表示させるとともに、その画面の下側に、上述した各放送シーンに対応するコンテンツデータのインデックス画像５２ａ及びアクセス情報５２ｂで構成されるコンテンツデータリスト５２を表示させる。なお、テレビ画面上において、テレビ番組５１とコンテンツデータリスト５２をどのように割り振ってテレビ受信機５ｂの機能や視聴者の設定によって異なる。表示させるかは、ここで、インデックス画像５２ａ等は、テレビ番組の放送時間帯において対応する放送シーンが放送されるタイミングに合わせて放送されるようになっているので、テレビ画面に表示されるコンテンツデータリストは、対応する放送シーンの放送が終了したか、あるいは放送中のコンテンツデータに限られるようになっている。
【００２８】
また、テレビ画面に表示されるコンテンツデータリスト５２には、対応する放送シーンの放送が終了したか、あるいは放送中のコンテンツデータのすべてが含まれるようになっている。したがって、そのテレビ番組の放送開始時点からの放送シーンに対応するコンテンツデータのすべてについて、インデックス画像及びアクセス情報が表示されることになる。さらに、テレビ画面に表示されるコンテンツデータリスト５２において、対応する放送シーンが放送中のコンテンツデータについては、該当するインデックス画面が点滅して目立つように表示する（図３中において矢印で示す）ことにより、現在放送中のものである旨を視聴者に知らせるようにしている。なお、この点滅は、対応する放送シーンの放送が終了すると停止して、通常に表示されるようになっている。
【００２９】
上述のテレビ番組の視聴者は、すでに視聴したか、あるいは視聴中の放送シーンに対応するコンテンツデータの中から、携帯電話にダウンロードしたいものをコンテンツデータリスト５２のインデックス画像５２ａで特定する。そして、インデックス画像５２ａの横に表示されるアクセス情報５２ｂをもとに、携帯電話５ｃで配信用サーバー１に記憶されたコンテンツデータにアクセスして、携帯電話５ｃに内蔵されるメモリーにダウンロードする。これにより、テレビ番組中の放送シーンを切り出して作成したビデオクリップを携帯電話５ｃにより再生することが可能となる。
【００３０】
なお、携帯電話５ｃは、アンテナ基地局４及び交換局３を使用する携帯電話用の通信回線を介して配信用サーバー１に接続するので、携帯電話５ｃは、通常のデータ通信と同様の方法で操作すれば足りる。なお、コンテンツデータの提供側は、コンテンツデータの配信に対して課金するために配信先を確認する必要があるが、配信先が携帯電話であるために、携帯電話会社の管理システムを利用して、個人認証を容易に行うことができる。また、配信用サーバー１は、携帯電話５ｃにコンテンツデータを送信する際に、コンテンツデータの取得代金の課金処理を行うが、その代金徴収は携帯電話会社が行うので、コンテンツデータの提供側は、集金手続を容易に行うことができるものである。
【００３１】
上記実施形態では、テレビ番組の放送シーンを切り出して作成したコンテンツデータを配信したが、放送シーンの内容に合わせて作成した独自のコンテンツを配信することも可能である。例えば、音楽番組において、その放送シーンに登場したアーティストのオリジナルビデオクリップ等を配信するようにしても良い。また、例えば、学習番組において、その放送シーンで解説された例題に類似した問題やそれに対する解説を配信するようにしても良い。
【００３２】
上記実施形態では、配信されるコンテンツデータは、画像データ及び音声データが組み合わされたものであったが、画像データのみあるいは音声データのみとしても良い。例えば、情報番組において紹介された店舗の住所や電話番号を残す場合には画像データのみで足り、音楽番組で放送された楽曲を、通常の着メロとして使用する場合に音声データのみで足りるためである。
【００３３】
上記実施形態では、視聴者のテレビ画面に表示されるインデックス画像は静止画像としたが、例えば、コンテンツデータの内容が繰り返し映し出される動画像であっても良く、コンテンツデータリストには、インデックス画像に加えて画像の内容を説明する文字を表示させたり、インデックス画像の中にスパーを付加したりするようにしても良い。
【００３４】
上記実施形態では、放送局から直接放送する地上波放送を使用したが、衛星放送を使用するようにしても良い。また、視聴者がコンテンツデータをダウンロードする際には、携帯電話を使用したが、ＰＨＳ等、他の移動携帯端末を使用することとしても良い。
【００３５】
その他、本発明のコンテンツデータ配信方法は、上記した実施の形態に限定されるものではなく、本発明の要旨を逸脱しない範囲内において種々変更を加え得ることは勿論である。
【図面の簡単な説明】
【００３６】
【図１】本実施形態に係る配信システムの概要を表したブロック図。
【図２】視聴者のテレビ画面の表示例を示す図。
【符号の説明】
【００３７】
１    配信用サーバー
２    放送局
３    交換局
４    アンテナ基地局
５ｂ    テレビ受信機
５ｃ    携帯電話
５２    コンテンツデータリスト
５２ａ    インデックス画像
５２ｂ    アクセス情報
【図１】
2006050378.tif 000003
【図２】
2006050378.tif 000004